(57)【要約】【課題】額縁等の特別のディスプレイ用具を使用することなく、表示した情報を立体的に飾ることのできる紙製立体キャンバスを提供することを目的とする。【解決手段】表面に形成され、絵画，スケッチ，漫画，デジタル画像，文字，図形その他の任意の創作物や各種情報を表示可能なキャンバス面２と、裏面に形成された控え部３と、キャンバス面２の外周部と控え部３の外周部とを連接する折り畳み可能なマチ部４とからなり、キャンバス面２，控え部３及びマチ部４を保形性を有する紙製素材から形成するとともに、キャンバス面２と控え部３を相互に前後方向に密着させることにより、平板状に形成可能であり、キャンバス面２と控え部３を相互に前後方向に伸長させることにより、マチ部４を介して立体形状に形成可能な紙製立体キャンバスを基本として提供する。【選択図】図１０
2010142523.tif 000002
【特許請求の範囲】
【請求項１】
表面に形成され、絵画，スケッチ，漫画，デジタル画像，文字，図形その他の任意の創作物や各種情報を表示可能なキャンバス面と、裏面に形成された控え部と、キャンバス面の外周部と控え部の外周部とを連接する折り畳み可能なマチ部とからなり、
キャンバス面，控え部及びマチ部を保形性を有する紙製素材から形成するとともに、キャンバス面と控え部を相互に前後方向に伸長させることにより、マチ部を介して立体形状に形成可能なことを特徴とする紙製立体キャンバス。
【請求項２】
表面に形成され、絵画，スケッチ，漫画，デジタル画像，文字，図形その他の任意の創作物や各種情報を表示可能なキャンバス面と、裏面に形成された控え部と、キャンバス面の外周部と控え部の外周部とを連接する折り畳み可能なマチ部とからなり、
キャンバス面，控え部及びマチ部を保形性を有する紙製素材から形成するとともに、キャンバス面と控え部を相互に前後方向に密着させることにより、平板状に形成可能であり、又キャンバス面と控え部を相互に前後方向に伸長させることにより、マチ部を介して立体形状に形成可能なことを特徴とする紙製立体キャンバス。
【請求項３】
キャンバス面を葉書サイズ，Ａ列規格又はＢ列規格から選択された定型サイズに形成した請求項１又は２に記載の紙製立体キャンバス。
【請求項４】
谷折り線を介してマチ部を折り畳み可能に形成した請求項１，２又は３に記載の紙製立体キャンバス。
【請求項５】
キャンバス面と控え部を異なる材質で形成した請求項１，２，３又は４に記載の紙製立体キャンバス。
【請求項６】
キャンバス面を正対視した場合に控え部が視認できないように形成した請求項１又，２，３，４又は５に記載の紙製立体キャンバス。
【請求項７】
控え部の所定箇所に係止用の孔部を穿設してなる請求項１，２，３，４，５又は６に記載の紙製立体キャンバス。
【請求項８】
控え部の所定箇所に９０度位置を変位させて係止可能な２つの係止用の孔部を穿設してなる請求項１，２，３，４，５又は６に記載の紙製立体キャンバス。
【請求項９】
任意の創作部や各種情報を表示する手段として描画，筆記，印刷，貼付又は焼付プリントから選択された１又は複数の手段を選択可能な請求項１，２，３，４，５，６，７又は８に記載の紙製立体キャンバス。
【発明の詳細な説明】
【技術分野】
【０００１】
本発明は絵画，スケッチ，漫画，デジタル画像，文字，図形その他の任意の創作物や各種情報を表示可能であるとともに、額縁等の他のディスプレイ用具を使用することなく、表示した情報を立体的に飾ることのできる紙製立体キャンバスに関するものである。
【背景技術】
【０００２】
パソコン，Ｅメール，デジタルカメラ等によるデジタル社会が高度に進行して、手書きの文字や絵は、社会生活上の情報伝達手段としての存在意義をほぼ失っている。一方において、デジタル社会だからこそ、逆に手書きの文字や絵のもつ温かみや味わいのよさも再認識されており、万年筆や筆を利用して文字を書いたり、あるいは絵手紙のように葉書や葉書サイズの用紙に花や野菜などの植物、季節の事物や風景などの絵画を描き、それに短い文や詩を書き添えて知人や自らに贈ったり、飾ることを楽しむ人が増えている。また、自宅や外出先，旅行先で気軽にスケッチを楽しむ人も増えており、携帯用のスケッチセットなども販売されている。
【０００３】
これらの創作物である自筆の文字や書，絵手紙，スケッチ等は書く楽しみとともに、完成後や受領した作品を飾ることも楽しみであり、額縁に入れて飾ったり、あるいは気軽にピンで壁面やピンナップボード等に貼り付けて飾っている。
【０００４】
また、デジタル社会の実現によって、デジタルカメラで撮影した画像をパソコンやテレビのディスプレイに表示して楽しむ手段とともに、気軽にプリンタで印刷して、知人に贈ったり、自らピンナップとして飾ることも一般的に広く普及している。この場合、写真用の額縁を使用したり、簡便には印刷した写真をピンで壁面やボードに直接貼り付けて飾っている。そして、これらの創作物や各種情報は葉書，画用紙，印画紙等の平板上の紙製素材に表示されることが多い。
【０００５】
従来より、デジテル写真のアルバムとして、写真の見栄えをよくし、立体感を持たせるために、コンピュータ画像処理をしてシートにプリントアウトして表示された写真部の周縁の少なくとも一部に縁取り部を形成したり、縁取り部をシャドー部とするアルバムが提供されている（特許文献１）。また、文字，図形，記号，絵，写真等を立体的に表示する手段として、折り込みラインが形成され、かつ、表面に文字，図形，記号，絵，写真の所定表示が施された表示シートを、折り込みラインに沿って立体化するように折り込み、保持基材の少なくとも片面に立体的に固着した立体表示体が提供されている（特許文献２）。
【特許文献１】実用新案登録第３０６５８９７号公報
【特許文献２】実用新案登録第３１４２４７３号公報
【発明の開示】
【発明が解決しようとする課題】
【０００６】
自筆やデジタル機器を使用して作成した絵画，スケッチ，書，写真等の任意の創作物や各種情報を見映えよく飾るためには、専用の額縁や写真立て等のディスプレイ用具が必要である。よって、これらのディスプレイ用具を別途準備する必要があるため、創作物や各種情報を気軽に飾って楽しむことができない。
【０００７】
一方、創作物や各種の情報を単に壁面やピンナップボードにピンで貼り付けるだけでは、味気なく、飾る楽しみを享受することができない。なにより、平板上の紙製素材に表示されているため、そのまま飾ったのでは平面的であって立体感に乏しく、見栄えがよくなく、創作意欲を刺激することが少ない。
【０００８】
特許文献１に開示された手段は、縁取り部やシャドー部によって、写真に立体感を持たせようとするにとどまり、アルバム自体を立体的にできるものではない。また、特許文献２に開示された手段は折り込みラインによって写真等が表示された表示シートを立体化するものであるが、部分的な立体化に過ぎず、また立体化のための操作が煩雑であって、実用性に欠ける。
【０００９】
そこで、上記した従来の表示手段が有している課題を解決し、絵画，スケッチ，漫画，デジタル画像，文字，図形その他の任意の創作物や各種情報を表示可能であるとともに、額縁等の特別のディスプレイ用具を使用することなく、表示した情報を立体的に飾ることのできる紙製立体キャンバスを提供することを目的とする。
【課題を解決するための手段】
【００１０】
本発明は上記目的を達成するために、表面に形成され、絵画，スケッチ，漫画，デジタル画像，文字，図形その他の任意の創作物や各種情報を表示可能なキャンバス面と、裏面に形成された控え部と、キャンバス面の外周部と控え部の外周部とを連接する折り畳み可能なマチ部とからなり、キャンバス面，控え部及びマチ部を保形性を有する紙製素材から形成するとともに、キャンバス面と控え部を相互に前後方向に伸長させることにより、マチ部を介して立体形状に形成可能な紙製立体キャンバス、及びキャンバス面と控え部を相互に前後方向に密着させることにより、平板状に形成可能であり、又キャンバス面と控え部を相互に前後方向に伸長させることにより、マチ部を介して立体形状に形成可能な紙製立体キャンバスを基本として提供する。
【００１１】
また、キャンバス面を葉書サイズ，Ａ列規格又はＢ列規格から選択された定型サイズに形成した構成、谷折り線を介してマチ部を折り畳み可能に形成した構成、キャンバス面と控え部を異なる材質で形成した構成、キャンバス面を正対視した場合に控え部が視認できないように形成した構成、控え部の所定箇所に係止孔を穿設してなる構成、控え部の所定箇所に９０度位置を変位させて係止可能な２つの係止孔を穿設してなる構成、任意の創作部や各種情報を表示する手段として描画，筆記，印刷，貼付又は焼付プリントから選択された１又は複数の手段を選択可能な構成を提供する。
【発明の効果】
【００１２】
本発明によれば、保形性を有する紙製素材等からなるキャンバス面に絵画，スケッチ，漫画，デジタル画像，文字，図形その他の任意の創作物や各種情報を表示できる。そして、キャンバス面と控え部を相互に前後方向に伸長させることにより、マチ部を介してキャンバス面と控え部とが前後方向に離反して立体的に形成されるため、壁面やピンナップボード等の所定の掲示場所に飾った際にキャンバス面が壁面やピンナップボードから浮き上がって、立体感をもって看取することができる。そのため、額縁等の他のディスプレイ用具を使用することなく、見映えよく創作物や情報を掲示して飾ることができる。
【発明を実施するための最良の形態】
【００１３】
以下図面に基づいて本発明にかかる紙製立体キャンバスの最良の実施形態を説明する。図１は本発明にかかる紙製立体キャンバス１の表面側からの全体斜視図、図２は裏面側からの全体斜視図、図３は正面図、図４は背面図である。紙製立体キャンバス１は保形性を有する紙製素材からキャンバス面２、控え部３及びマチ部４とを主たる構成要素として形成されている。
【００１４】
キャンバス面２は紙製立体キャンバス１の表面に位置し、任意の創作物や各種情報を表示するための表示エリアとして使用する。図示例ではキャンバス面２を葉書サイズの矩形状に形成し、水彩画を記載するのに適した水彩紙で構成した。キャンバス面２に表示する創作物に限定はなく、絵画，スケッチ，漫画，デジタル画像，文字，図形その他の任意の創作物でよい。また、創作物に限らず、処理リスト，備忘録，メモ書き，パソコンデータの出力その他の各種情報を表示するようにしてもよい。
【００１５】
キャンバス面２の形状及びサイズは任意に選択することができ、例えば図示した葉書サイズや、Ａ０〜Ａ１０のＡ列規格、Ｂ０〜Ｂ１０のＢ列規格、或いは写真印画紙の規格、プリンタ用紙の規格等の任意の規格サイズから選択された定型サイズに形成することができる。また、規格外の任意のサイズとすることも可能である。更に、形状も矩形状に限らず任意の形状を選択することができる。
【００１６】
キャンバス面２の材質は表示する創作物や情報に適した紙製の素材を選択するものとする。例えば、図示例のように水彩画の描画用であれば水彩紙、写真を焼き付けるのであれば印画紙、デジタル写真をプリントするのであればデジタル写真用のプリント紙、毛筆，万年筆，鉛筆等で記載するのであればそれぞれの筆記具に適した素材からなる紙を使用する。ただし、どのような素材であっても、キャンバス面２を平面的な表示エリアとして形態を保持することのできる保形性を有していることが必要である。また、キャンバス面２と控え部３を異なる材質で形成することもできる。
【００１７】
キャンバス面２に情報を表示する手段は、表示する創作物や情報に適した手段を選択すればよく、各種筆記具を使用した描画や筆記，プリンタを使用した印刷，別途作成した創作物や情報の貼付、あるいは写真の焼付プリント等の任意の手段から選択した１又は複数の手段を選択する。
【００１８】
控え部３は紙製立体キャンバス１の裏面に位置し、キャンバス面２を正対視した場合に控え部３が視認できないように、キャンバス面２よりも小さいサイズとする。図示例では、キャンバス面２を縮小した相似形の矩形とした。この控え部３の中央部には、紙製立体キャンバス１を掲示場所の壁面等に係止するための楕円状の係止孔５が穿設されている。また、係止孔５の上方にも、同様の楕円状の係止孔６が穿設されている。この係止孔５と係止孔６には、それぞれ略三角形状の係止溝５ａ，６ａが９０度位置を変位させて、係止溝５ａを水平方向に、係止溝６ａを垂直方向に連接している。
【００１９】
キャンバス面２の外周部と控え部３の外周部とは、折り畳み可能なマチ部４によって、連接されている。図５は紙製立体キャンバス１を立体形状に形成した状態の平面図、図６は右側面図、図７は図３の正面図の中央縦断面図、図８は図３の中央横断面図である。図示のように、マチ部４は矩形状のキャンバス面２と控え部３の外周部に連接されて、谷折り線７を介して折り畳み自在である。また、マチ部４は、谷折り線７を挟んで、キャンバス面２側のマチ部４ａと、控え部３側のマチ部４ｂに分離されている。よって、このマチ部４ａと４ｂを谷折り線７によって折りたたんで密着させることにより、キャンバス面２と控え部３とは相互に前後方向に密着することとなり、平板状に形成される。
【００２０】
使用に際しては、キャンバス面２と控え部３を密着させた平板状の状態で、キャンバス面２に水彩絵の具を使用して水彩画を描画する等、絵画，スケッチ，漫画，デジタル画像，文字，図形その他の任意の創作物や各種情報をキャンバス面２に表示するようにする。なお、キャンバス面２と控え部３をより密着させて紙製立体キャンバス１を平板状に保つため、キャンバス面２と控え部３とを感圧接着剤を塗布した接着テープ等で仮止めをしておくと便利である。
【００２１】
表示が完成すると、図９に示すように、キャンバス面２と控え部３を手で押さえて、相互に前後方向に伸長させることにより、マチ部４を介して紙製立体キャンバス１を立体形状に形成し、控え部３に形成した係止孔５或いは係止孔６を使用して、紙製立体キャンバス１を壁面やピンナップボードその他の飾り場所に、縦方向或いは横方向に掲示する。例えば、図１１に示すように、壁面８に押しピン９を圧入し、押しピン９を係止孔６に挿通し、押しピン９の頭部を係止溝６aに係止して飾る。具体的には、図１０に示すように、水彩画を描画した紙製立体キャンバス１ａを縦方向に飾ったり、デジタル写真をプリントした紙製立体キャンバス１ｂを横方向に飾ったりする。これにより、平面的な水彩画や写真等の創作物や情報を額縁等の他の部材を必要とすることなく、立体感をもって飾って気軽に楽しむことができる。また、完成した紙製立体キャンバス１を平面上に密着させてそのまま、或いは封筒に入れて郵送等によって贈ることもできる。
【００２２】
次に、図１２から図１６を使用して、１枚の保形性を有する平板状の薄葉シート材１１から、本発明にかかる紙製立体キャンバス１を製作する方法を説明する。先ず図１２に示すように、薄葉シート材１１から、キャンバス面２及びキャンバス面２側のマチ部４ａを構成する菱形の角部を切り落とした八角形状の表面シート材１２と、表面シート材１２と相似形であってやや面積が狭く、控え部３及び控え部３側のマチ部４ｂを構成する背面シート材１３を相互に１辺において連接された状態で切り抜く。なお、背面シート材１３には予め、係止孔５，６及び係止溝５ａ，６ａを穿設しておく。
【００２３】
次に図１３に示すように、表面シート材１２の中央部にキャンバス面２を形成するための折り畳み線１４を画成するとともに、外周部の各辺に相互に隣接することのないように一つ飛ばしで、折り畳み線１５ａ，１５ｂ，１５ｃ，１５ｄを画成して折り返し、糊代１６ａ，１６ｂ，１６ｃ，１６ｄを形成する。また、背面シート材１３の中央部に控え部３を形成するための折り畳み線１７を形成するとともに、外周部の各辺に相互に隣接することがないように一つ飛ばしで、折り畳み線１８ａ，１８ｂ，１８ｃ，１８ｄを形成して折り返し、糊代１９ａ，１９ｂ，１９ｃ，１９ｄを形成する。なお、図に示すように、糊代１６ｄと１９ｄは連接しており、糊代１６ａと１９ａ，糊代１６ｂと１９ｂ，糊代１６ｃと１９ｃ，糊代１６ｄと１９ｄは同一形状に形成する。
【００２４】
次に図１４に示すように、糊代１６ｄと１９ｄを接着剤で貼り付け、折り畳み線１５ｄと１８ｄの接合部を谷折り線７として形成する。その後、図１５に示すように、背面シート材１３を表面シート材１２に折り返し、糊代１６ａと１９ａ，糊代１６ｂと１９ｂ，糊代１６ｃと１９ｃを接着剤で貼り付けて、図１６に示すように紙製立体キャンバス１を完成させる。なお、折り畳み線１５ａと１８ａ，折り畳み線１５ｂと１８ｂ，折り畳み線１５ｃと１８ｃの接合部によって、谷折り線７を形成する。
【００２５】
また、上記した製作方法において、表面シート材１２と背面シート材１３を別々に製作し、糊代１６ｄと１９ｄ，糊代１６ａと１９ａ，糊代１６ｂと１９ｂ，糊代１６ｃと１９ｃを接着剤で貼り付けるようにして、紙製立体キャンバス１を完成させてもよい。その際、表面シート材１２と背面シート材１３を異なる素材で製作してもよい。
【産業上の利用可能性】
【００２６】
以上詳細に説明したように、本発明によれば、保形性を有する紙製素材等からなるキャンバス面に絵画，スケッチ，漫画，デジタル画像，文字，図形その他の任意の創作物や各種情報を表示できる。そして、キャンバス面と控え部を相互に前後方向に伸長させることにより、マチ部を介してキャンバス面と控え部とが前後方向に離反して立体的に形成されるため、壁面やピンナップボード等の所定の掲示場所に飾った際にキャンバス面が壁面やピンナップボードから浮き上がって、立体感をもって看取することができる。そのため、額縁等の他のディスプレイ用具を使用することなく、見映えよく創作物や情報を掲示して飾ることができる。
【図面の簡単な説明】
【００２７】
【図１】発明にかかる紙製立体キャンバスの表面側からの全体斜視図。
【図２】裏面側からの全体斜視図。
【図３】紙製立体キャンバスの正面図。
【図４】紙製立体キャンバスの背面図。
【図５】紙製立体キャンバスの平面図。
【図６】紙製立体キャンバスの右側面図。
【図７】図３の中央縦断面図。
【図８】図３の中央横断面図。
【図９】操作説明図。
【図１０】使用状態を示す説明図。
【図１１】使用状態を示す断面図。
【図１２】製作方法を示す工程説明図。
【図１３】製作方法を示す工程説明図。
【図１４】製作方法を示す工程説明図。
【図１５】製作方法を示す工程説明図。
【図１６】製作方法を示す工程説明図。
【符号の説明】
【００２８】
１…紙製立体キャンバス
２…キャンバス面
３…控え部
４，４ａ，４ｂ…マチ部
５，６…係止孔
５ａ，６ａ…係止溝
７…谷折り線
８…壁面
９…押しピン
１１…薄葉シート材
１２…表面シート材
１３…背面シート材
１４，１５ａ，１５ｂ，１５ｃ，１５ｄ，１７，１８ａ，１８ｂ，１８ｃ，１８ｄ…折り畳み線
１６ａ，１６ｂ，１６ｃ，１６ｄ，１９ａ，１９ｂ，１９ｃ，１９ｄ…糊代
【図１】
2010142523.tif 000003
【図２】
2010142523.tif 000004
【図３】
2010142523.tif 000005
【図４】
2010142523.tif 000006
【図５】
2010142523.tif 000007
【図６】
2010142523.tif 000008
【図７】
2010142523.tif 000009
【図８】
2010142523.tif 000010
【図９】
2010142523.tif 000011
【図１０】
2010142523.tif 000012
【図１１】
2010142523.tif 000013
【図１２】
2010142523.tif 000014
【図１３】
2010142523.tif 000015
【図１４】
2010142523.tif 000016
【図１５】
2010142523.tif 000017
【図１６】
2010142523.tif 000018